(57)【特許請求の範囲】
【請求項１】
ディスクを駆動・再生するための機構を搭載したシャーシをダンパークッションを介して支持してなるディスク再生装置において、前記シャーシに、前記ダンパークッションの取付穴と、この取付穴内に前記シャーシの面に沿った方向から前記ダンパークッションを挿入するための、前記シャーシの端に向けて幅を広くしたテーパ状の第１の切り欠き部と、前記取付穴を挟んで前記第１の切り欠き部と対向する位置に設けられた第２の切り欠き部とを設けたことを特徴とするディスク再生装置。
【請求項２】
ディスクを駆動・再生するための機構を搭載したシャーシをダンパークッションを介して支持してなるディスク再生装置において、前記シャーシに、前記ダンパークッションの取付穴と、この取付穴内に前記シャーシの面に沿った方向から前記ダンパークッションを弾性変形させつつ挿入するための、前記シャーシの端に向けて幅を広くしたテーパ状の第１の切り欠き部と、前記取付穴を挟んで前記第１の切り欠き部と対向する位置に設けられた第２の切り欠き部とを設けたことを特徴とするディスク再生装置。
【請求項３】
ディスクを駆動・再生するための機構を搭載したシャーシをダンパークッションを介して支持してなるディスク再生装置において、前記シャーシに、前記ダンパークッションの取付穴と、この取付穴内に前記シャーシの面に沿った方向から前記ダンパークッションを挿入するための、前記シャーシの端に向けて幅を広くしたテーパ状の切り欠き部と、前記切り欠き部を通じて前記取付穴内に前記ダンパークッションが挿入される過程で該ダンパークッションの挿入先端部を前記取付穴より一時的に逃すための逃げ穴とを設けたことを特徴とするディスク再生装置。
【請求項４】
ディスクを駆動・再生するための機構を搭載したシャーシをダンパークッションを介して支持してなるディスク再生装置において、前記シャーシに、前記ダンパークッションの取付穴と、この取付穴内に前記シャーシの面に沿った方向から前記ダンパークッションを弾性変形させつつ挿入するための、前記シャーシの端に向けて幅を広くしたテーパ状の切り欠き部と、前記切り欠き部を通じて前記取付穴内に前記ダンパークッションが挿入される過程で該ダンパークッションの挿入先端部を前記取付穴より一時的に逃すための逃げ穴とを設けたことを特徴とするディスク再生装置。
【発明の詳細な説明】
【０００１】
【発明の属する技術分野】
本発明は、ＣＤ−ＲＯＭ、ＤＶＤ等の光ディスクを再生するディスク再生装置に関する。
【０００２】
【従来の技術】
コンパクトディスク、レーザディスク、ディジタルビデオディスク（ＤＶＤ）等の光ディスクを再生するディスクドライブでは、外来振動対策として、例えば、光ピックアップ、ディスクモータ等のディスク駆動・再生機構を搭載したメカシャーシ（ピックアップシャーシ）をダンパークッション等の緩衝部材を介して支持部材に支持する構造をとっている。
【０００３】
特に、高密度な光ディスクとして知られるディジタルビデオディスク（以下、ＤＶＤと呼ぶ。）は、コンパクトディスク、レーザディスクと比べてトラックピッチが半分程度と狭く、外来振動によるディスク読み出しへの影響が大であることから、特に振動吸収性に優れた防振構造をとることが要求される。
【０００４】
ピックアップシャーシにダンパークッションを取り付ける作業は、ライン作業者の手作業による場合と、例えば図１１、図１２に示すようにダンパークッション１１の挿入用治具８２を用いて行われる場合がある。
【０００５】
ここで挿入用治具８２を用いたダンパークッション８１の取り付け作業について説明する。挿入用治具８２はエアー圧によって前後にスライドするように構成されている。ダンパークッション８１は挿入用治具８２の先端に立設されたピン８３に挿入・保持される。ピン８３に保持されたダンパークッション８１は挿入用治具８２の前進によって、ピックアップシャーシ８４に設けられたダンパー取付穴８５に挿入ガイド用の切り欠き部８６を通じて押し込まれる。
【０００６】
しかしながら、かかる挿入用治具を用いたダンパークッションの取り付け作業には次のような問題がある。
【０００７】
図１３（ａ）に示すように、挿入用治具８２のピン８３に保持されたダンパークッション８１はガイド用の切り欠き部８６での弾性変形を伴いながらダンパー取付穴８５内に入り込む。挿入用治具８２のピン８３はダンパー取付穴８５内に侵入後も前進を続け、図１３（ｂ）に示すように、ダンパークッション８１の肉厚によって前進が阻まれる地点まで移動する。しかしながら、この時点においても、ダンパークッション８１の後端部はガイド用切り欠き部８６にて両側より挟み込まれた状態にあり、ピン８３でできる限りダンパークッション８１を肉厚を押し潰してダンパークッション全体を奥に引き込もうしても、ダンパークッション８１の後端部がガイド用切り欠き部８６からの拘束を逃れ切れない場合が生じる。
【０００８】
【発明が解決しようとする課題】
このように、ダンパークッションをピックアップシャーシに挿入用治具を用いて取り付ける場合、ダンパークッションの後端部が取付穴からはみ出るなど、ダンパークッションをダンパー取付穴内に完全には挿入しきれないという問題があった。
【０００９】
本発明はこのような課題を解決するためのもので、挿入用治具を用いたピックアップシャーシへのダンパークッションの自動取り付けを確実に行うことのできるディスク再生装置の提供を目的としている。
【００１０】
【課題を解決するための手段】
上記目的を達成するために、本発明のディスク再生装置は、請求項１に記載されるように、ディスクを駆動・再生するための機構を搭載したシャーシをダンパークッションを介して支持してなるディスク再生装置において、シャーシに、ダンパークッションの取付穴と、この取付穴内にシャーシの面に沿った方向からダンパークッションを挿入するための、シャーシの端に向けて幅を広くしたテーパ状の第１の切り欠き部と、取付穴を挟んで第１の切り欠き部と対向する位置に設けられた第２の切り欠き部とを設けたことを特徴とする。
【００１１】
また、本発明のディスク再生装置は、請求項２に記載されるように、ディスクを駆動・再生するための機構を搭載したシャーシをダンパークッションを介して支持してなるディスク再生装置において、シャーシに、ダンパークッションの取付穴と、この取付穴内にシャーシの面に沿った方向からダンパークッションを弾性変形させつつ挿入するための、シャーシの端に向けて幅を広くしたテーパ状の第１の切り欠き部と、取付穴を挟んで第１の切り欠き部と対向する位置に設けられた第２の切り欠き部とを設けたことを特徴とする。
【００１２】
本発明のディスク再生装置においては、挿入用治具を用いてピックアップシャーシにダンパークッションを自動的に取り付ける際に、取付穴を挟んで挿入用の第１の切り欠き部と対向する位置に設けられた第２の切り欠き部にダンパークッションの挿入先端部が逃げてダンパークッションが全体的に奥に押し込まれるので、ダンパークッションの後端部を挿入用の第１の切り欠き部に挟み込まれた状態から解放することができ、確実な状態でダンパークッションを取付穴に取り付けることができる。
【００１３】
また、本発明のディスク再生装置は、請求項３に記載されるように、ディスクを駆動・再生するための機構を搭載したシャーシをダンパークッションを介して支持してなるディスク再生装置において、シャーシに、ダンパークッションの取付穴と、この取付穴内にシャーシの面に沿った方向からダンパークッションを挿入するための、シャーシの端に向けて幅を広くしたテーパ状の切り欠き部と、切り欠き部を通じて取付穴内にダンパークッションが挿入される過程で該ダンパークッションの挿入先端部を取付穴より一時的に逃すための逃げ穴とを設けたことを特徴とする。
【００１４】
さらに、本発明のディスク再生装置は、請求項４に記載されるように、ディスクを駆動・再生するための機構を搭載したシャーシをダンパークッションを介して支持してなるディスク再生装置において、シャーシに、ダンパークッションの取付穴と、この取付穴内にシャーシの面に沿った方向からダンパークッションを弾性変形させつつ挿入するための、シャーシの端に向けて幅を広くしたテーパ状の切り欠き部と、切り欠き部を通じて取付穴内にダンパークッションが挿入される過程で該ダンパークッションの挿入先端部を取付穴より一時的に逃すための逃げ穴とを設けたことを特徴とする。
【００１５】
本発明のディスク再生装置においては、挿入用治具を用いてピックアップシャーシにダンパークッションを自動的に取り付ける際に逃げ穴内にダンパークッションの挿入先端部が入り込み、ダンパークッションが全体的に奥に押し込まれるので、ダンパークッションの後端部を挿入用の切り欠き部に挟み込まれた状態から解放することができ、確実な状態でダンパークッションを取付穴に取り付けることができる。
【００１６】
【発明の実施の形態】
以下、本発明を実施する場合の形態について図面に基づき説明する。
【００１７】
図１及び図２に示すように、本実施形態のディスク再生装置は、ディスクが搭載されるトレー１をドライブ本体部としてのメインシャーシ２に対して出し入れ自在に構成してなる。トレー１の両側面にはガイド突起１ａが設けられている。これらのガイド突起１ａはメインシャーシ２に設けられたガイド部２ａに嵌め込まれ、これによりトレー１はディスク面と平行に直線方向に案内され、図１に示すトレー排出位置と図２に示すトレー収納位置との間で搬送される。
【００１８】
メインシャーシ２内には、図１乃至図３に示すように、ディスク再生機構を搭載したメカシャーシ（ピックアップシャーシ）３を複数のダンパークッション４を介して支持して構成される再生メカユニット５が配置されている。メカシャーシ（ピックアップシャーシ）３には、ディスクモータ１３、光ピックアップ１４及び光ピックアップ送り機構等が搭載されている。
【００１９】
光ピックアップ１４は、互いに平行に配設された２本のガイド軸３５、３６の間に掛け渡されている。光ピックアップ送り機構は、ピックアップ送り用モータ５１と、このモータ５１の動力を光ピックアップ１４に固定されたラックギア５２に伝達するための減速ギア５３、５４から構成されている。
【００２０】
ディスクモータ１３はモータ取付台１５を介してメカシャーシ３上に固定されている。ディスクモータ１３のモータ軸にはターンテーブル１６が取り付けられている。
【００２１】
また、図３及び図４に示すように、再生メカユニット５のトレー挿入方向において奥側の両側面には回動軸６が突設されており、これらの回動軸６はメインシャーシ２の軸保持部７（図１、図２参照）に回動自在に保持されている。また、再生メカユニット５のトレー挿入方向手間側の面には回動案内軸８が突設されており、この回動案内軸８は図４において奥行方向にスライドするスライダ９に設けられた案内溝１０に挿入・保持され、スライダ９の移動に伴い、案内溝１０に沿って上下方向（ディスクの厚み方向）に案内される。これにより、再生メカユニット５は、回動軸６を支点として傾動し、ディスククランプを行うように構成されている。
【００２２】
また、図１及び図２に示すように、メインシャーシ２にはクランパホルダ１１を介してクランパ１２が保持されている。さらに、メインシャーシ２内にはトレーローディング及びディスククランプのための機構系が設けられている。
【００２３】
次に、このトレーローディング及びディスククランプ機構の詳細とその動作について説明する。
【００２４】
図５はトレー排出時の状態、図６はトレーローディング完了時点の状態、そして図７はディスククランプ完了時点の状態を各々示している。
【００２５】
図５において、２１はローディング用モータであり、このモータ２１の動力は、第１プーリ２２、ベルト２３、第２プーリ２４、減速ギア２５を通じてトレーロードギア２６に伝達される。このトレーロードギア２６にはトレー１に設けられたラック２７が噛合されており、これによってトレー１は矢印Ｘ１方向にローディングされる。
【００２６】
また、トレーロードギア２６にはスライダ搬送ギア２８が噛合されている。但し、トレー１のローディング期間はスライダ搬送ギア２８はスライダ９のラック２９と噛合されていない。
【００２７】
図６に示すように、トレー１がメインシャーシ２内の所定の位置までローディングされると、トレー１の裏面に設けられた案内溝３０にスライダ９のガイドピン３１が入り込み、案内溝３０によるガイドピン３１の案内で、スライダ９は矢印Ｙ１方向にスライドする。このスライダ９の移動によってスライダ９のラック２９がスライダ搬送ギア２８と噛合状態となり、スライダ９はローディング用モータ２１の動力で更にＹ１方向にスライドする。この時点でトレーロードギア２６とトレー１のラック２７との噛合が解除され、トレー１のローディングが終了する。
【００２８】
また、このスライダ９の移動によって、図４に示したように、再生メカユニット５の回動案内軸８がスライダ９の案内溝１０に従って上方へ案内されることで、再生メカユニット５は回動軸６を支点として矢印Ｒ方向に回動する。
【００２９】
この再生メカユニット５の回動過程で、トレー１に搭載されたディスクＤはターンテーブル１６によってトレー１から持ち上げられる。その後、ターンテーブル１６のディスクチャック部３２とクランパ１２との接近により、両者間の磁気吸引力によってディスクチャック部３２がディスクＤのセンタ穴に完全に嵌り、以て、ターンテーブル１６とクランパ１２とによるディスククランプが完了する。  図７に示すように、ディスククランプの完了時点では、スライダ９の左側端部に設けられたスイッチ操作部３３がレバー３４を介してスイッチ３５を奥側に倒す。これによりスイッチ３５はディスククランプの完了を検出し、その検出信号をコントローラに出力する。コントローラはこのディスククランプ完了の検出信号を入力すると、ローディング用モータ２１の駆動を停止する。
【００３０】
ディスククランプの解除とトレーのアンローディングはローディング用モータ２１を逆回転させることで、以上の動作と逆の手順で行われる。
【００３１】
次に、メカシャーシ（ピックアップシャーシ）３におけるダンパークッション４の取付構造の形態について説明する。
【００３２】
図３、図８、図９に示すように、ピックアップシャーシ３の各コーナ部にはダンパー取付穴６１が各々設けられており、また各々のシャーシコーナからダンパー取付穴６１までの間には挿入ガイド用の切り欠き部６２が設けられている。
【００３３】
挿入用治具７１を用いたダンパークッション４の取付作業時において、挿入用治具７１のピン７２に挿入・保持されたダンパークッション４は上記切り欠き部６２を通過してダンパー取付穴６１内に挿入される。
【００３４】
切り欠き部６２のシャーシコーナ側の入り口の幅は、挿入用治具７１によって搬送されてきたダンパークッション４の捕捉性をよくするために適度に広くすることが望ましい。また、切り欠き部６２のダンパー取付穴６１側の開口幅は、広すぎるとダンパー取付穴６１内でのダンパークッション４の拘束性が悪くなり、逆に狭すぎるとダンパークッション４が通過しづらくなる。このため切り欠き部６２はシャーシコーナ側に向けて幅を広くしたテーパ状に形成されている。
【００３５】
さらに、各ダンパー取付穴６１のシャーシセンター側には、挿入用治具７１を用いたダンパークッション４の取付作業時に、ダンパークッション４の挿入先端側の肉厚部分をダンパー取付穴６１の領域から逃すための切り欠き部（以下、逃げ穴と呼ぶ。）６３が設けられている。この逃げ穴６３は、より詳細には、その幅の中間位置が、切り欠き部６２とダンパー取付穴６１の中心点とを結ぶ延長直線上に設けられている。
【００３６】
このようなダンパー取付穴６１に挿入用治具７１によってダンパークッション４の取り付ける際の様子を図９、図１０に示す。
【００３７】
図９に示すように、ダンパークッション４にはダンパー取付穴６１への嵌め込み用の径小部４ａを上下の径大部４ｂ、４ｃの間に形成してなる。径小部４ａの径はダンパー取付穴６１の内径とほぼ一致しており、上下の径大部４ｂ、４ｃの径はダンパー取付穴６１の径より大きい。
【００３８】
挿入用治具７１をエアー圧によって前進させると、挿入用治具７１のピン７２に挿入・保持されたダンパークッション４が挿入ガイド用の切り欠き部６２内に入り込む。挿入用治具７１をさらに前進させると、図１０（ａ）に示すように、ダンパークッション４（径小部４ａ）が、ガイド用の切り欠き部６２での弾性変形を伴いながらダンパー取付穴６１内に一部侵入する。
【００３９】
挿入用治具７１のピン７２はダンパー取付穴６１内に侵入後も前進を続け、ダンパークッション４の肉厚によって前進が阻まれる地点まで移動する。ここで、ダンパー取付穴６１のシャーシセンター側には逃げ穴６３が存在するので、図１０（ｂ）に示すように、その逃げ穴６３内に、ダンパークッション４（径小部４ａ）の挿入先端側の肉厚部分がピン７２からの押圧によって入り込む。この結果生じたピン７２のオーバストロークによってダンパークッション４が全体的に奥に押し込まれるので、ダンパークッション４（径小部４ａ）の後端部がガイド用の切り欠き部６２からの拘束を逃れる。
【００４０】
その後、図１０（ｃ）に示すように、ピン７２をダンパークッション４から引き抜くことによって、逃げ穴６３からダンパークッション４（径小部４ａ）の肉厚部分が弾性復元力によってダンパー取付穴６１内に復帰し、以てダンパークッション４はダンパー取付穴６１内に完全な状態で挿入される。
【００４１】
かくして、本実施形態によれば、挿入用治具６１を用いてピックアップシャーシ３へのダンパークッション４の取付作業を行う場合においても、ピックアップシャーシ３の取付穴６１に正しい状態でダンパークッション４を取り付けることができる。
【００４２】
【発明の効果】
以上説明したように本発明によれば、挿入用治具を用いてピックアップシャーシにダンパークッションを自動的に取り付ける際に、ダンパークッションが全体的に取付穴よりも奥側に押し込まれるので、ダンパークッションの後端部を挿入用の切り欠き部に挟み込まれた状態から解放することができ、確実な状態でダンパークッションを取付穴に取り付けることができる。
【図面の簡単な説明】
【図１】本実施形態のディスク再生装置のトレー排出時の状態を示す斜視図
【図２】図１のディスク再生装置の再生時の状態を示す斜視図
【図３】図１のディスク再生装置における再生メカユニットの構成を示す分解斜視図
【図４】図１のディスク再生装置の内部側面図
【図５】図１のディスク再生装置のトレー排出時の状態を示す平面図
【図６】図１のディスク再生装置のトレーローディング完了時点の状態を示す平面図
【図７】図１のディスク再生装置のディスククランプ完了時点の状態を示す平面図
【図８】ピックアップシャーシのダンパークッション取付構造及び挿入用治具の形態を示す平面図
【図９】ピックアップシャーシのダンパークッション取付構造及び挿入用治具の形態の詳細を示す斜視図
【図１０】挿入用治具を用いてピックアップシャーシにダンパークッションを取り付ける際の様子を示す図
【図１１】従来のピックアップシャーシのダンパークッション取付構造及び挿入用治具の形態を示す平面図
【図１２】従来のピックアップシャーシのダンパークッション取付構造及び挿入用治具の形態の詳細を示す斜視図
【図１３】従来技術において挿入用治具を用いてピックアップシャーシにダンパークッションを取り付ける際の様子を示す図
【符号の説明】
３………ピックアップシャーシ
４………ダンパークッション
６１……ダンパー取付穴
６２……挿入ガイド用の切り欠き部
６３……逃げ穴
７１……挿入用治具
７２……ピン
【図１】
0003670415.tif 000002
【図２】
0003670415.tif 000003
【図３】
0003670415.tif 000004
【図４】
0003670415.tif 000005
【図５】
0003670415.tif 000006
【図６】
0003670415.tif 000007
【図７】
0003670415.tif 000008
【図８】
0003670415.tif 000009
【図９】
0003670415.tif 000010
【図１０】
0003670415.tif 000011
【図１１】
0003670415.tif 000012
【図１２】
0003670415.tif 000013
【図１３】
0003670415.tif 000014